(57)【要約】【課題】リアルタイム性を損なわずに、高精度にＸ線照射野全体の線量分布を求めること。【解決手段】Ｘ線条件設定部１２により設定されたＸ線条件と、Ｘ線発生部４から被検体２までの位置情報と、被検体２に照射するＸ線の照射角度とに基づいて線量分布演算部１３によりＸ線照射野Ｆ内を第１段階（１st）、第２段階（２st）、…、のように順次複数の領域に細分化し、これら細分化毎に、それぞれ細分化した各領域ごとに各Ｘ線照射線量を求め、これらＸ線照射線量を合わせてＸ線照射野Ｆ全体の線量分布を求めて表示部１０に表示する。【選択図】      図３
2008132147.tif 000002
【特許請求の範囲】
【請求項１】
Ｘ線発生源からＸ線を被検体に照射したときのＸ線条件と、前記Ｘ線発生源から前記被検体までの位置情報とに基づいてコンピュータの演算処理により前記被検体の被曝量を算出する被曝線量算出方法において、
前記Ｘ線の照射野を数段階で順次複数の領域に細分化し、前記Ｘ線照射野を細分化する前と前記細分化する毎とでそれぞれ前記Ｘ線照射野内と前記複数の領域毎内とにおいて各特定部分の各Ｘ線照射線量を求め、このＸ線照射線量を当該各領域全体の各Ｘ線照射線量として求め、前記細分化する前と前記細分化する毎とでそれぞれ前記Ｘ線照射野全体の線量分布を求める、
ことを特徴とする被曝線量算出方法。
【請求項２】
前記Ｘ線照射野内における前記特定部分のＸ線照射線量を求め、このＸ線照射線量が前記Ｘ線照射野全体に均一に照射されたとして前記Ｘ線照射野全体の線量分布を求める、
前記Ｘ線照射野を細分化する毎に、前記複数の領域毎に求められる前記各Ｘ線照射線量から前記細分化の段階に応じた前記Ｘ線照射野全体の線量分布を求める、
ことを特徴とする請求項１記載の被曝線量算出方法。
【請求項３】
前記Ｘ線照射野内における前記特定部分は、前記Ｘ線照射野の中心部分であることを特徴とする請求項１記載の被曝線量算出方法。
【請求項４】
前記複数の領域内における前記各特定部分は、前記複数の領域の各中心部分であることを特徴とする請求項１記載の被曝線量算出方法。
【請求項５】
前記Ｘ線照射線量は、少なくとも前記Ｘ線を照射する前記Ｘ線条件又は前記被検体に照射される前記Ｘ線の照射位置情報の一方又は両方に基づいて求められることを特徴とする請求項１記載の被曝線量算出方法。
【請求項６】
Ｘ線発生源からＸ線を被検体に照射したときのＸ線条件と、前記Ｘ線発生源から前記被検体までの位置情報とに基づいて前記被検体の被曝量を算出する被曝線量算出装置において、
前記Ｘ線の照射野を数段階で順次複数の領域に細分化し、前記Ｘ線照射野を細分化する前と前記細分化する毎とでそれぞれ前記Ｘ線照射野内と前記複数の領域内とにおける各特定部分との各Ｘ線照射線量を求め、このＸ線照射線量を当該各領域全体の各Ｘ線照射線量として求め、前記細分化する前と前記細分化する毎とでそれぞれ前記Ｘ線照射野全体の線量分布を求める線量分布演算部、
を具備したことを特徴とする被曝線量算出装置。
【請求項７】
前記線量分布演算部は、前記Ｘ線照射野を細分化する前、前記Ｘ線照射野内における前記特定部分のＸ線照射線量を求め、このＸ線照射線量が前記Ｘ線照射野全体に均一に照射されたとして前記Ｘ線照射野全体の線量分布を求め、
前記Ｘ線照射野を細分化する毎に、前記複数の領域毎に求められる前記各Ｘ線照射線量から前記細分化の段階に応じた前記Ｘ線照射野全体の線量分布を求める、
ことを特徴とする請求項６記載の被曝線量算出装置。
【請求項８】
前記線量分布演算部は、前記Ｘ線照射野内における前記特定部分を前記Ｘ線照射野の中心部分として前記Ｘ線照射野全体の線量分布を求めることを特徴とする請求項６記載の被曝線量算出装置。
【請求項９】
前記線量分布演算部は、前記複数の領域内における前記各特定部分を当該複数の領域の各中心部分として当該各領域全体の各線量分布を求めることを特徴とする請求項６記載の被曝線量算出装置。
【請求項１０】
前記線量分布演算部は、少なくとも前記Ｘ線源の前記Ｘ線を放出する条件又は前記被検体に照射される前記Ｘ線の照射位置情報の一方又は両方に基づいて前記Ｘ線照射線量を求めることを特徴とする請求項６記載の被曝線量算出装置。
【請求項１１】
前記Ｘ線源は、Ｘ線を放出するＸ線管を有し、
前記Ｘ線管から放出される前記Ｘ線を絞るＸ線絞りと、
前記被検体を載置する寝台と、
前記Ｘ線管から放出されて被検体を透過した前記Ｘ線量を検出するＸ線検出器と、
少なくとも前記Ｘ線管と前記寝台との各位置情報に基づいて前記被検体に照射される前記Ｘ線の照射位置情報を求める照射位置算出部と、
前記線量分布演算部は、前記Ｘ線管のＸ線条件と前記照射位置算出部により算出される前記照射位置情報とに基づいて前記Ｘ線の線量分布を求める、
ことを特徴とする請求項６記載の被曝線量算出装置。
【発明の詳細な説明】
【技術分野】
【０００１】
本発明は、ＮＤＤ（Ｎon Ｄosimeter Ｄosimetry）法に係わり、Ｘ線を被検体に照射したときの被検体の被曝量を算出する被曝線量算出方法及びその装置に関する。
【背景技術】
【０００２】
患者に対してＸ線を照射するＸ線管のＸ線条件とＸ線管や患者を載置する寝台等の機械的な各位置情報とに基づいて患者に照射されたＸ線の線量分布を算出する技術がある。このような技術としてのＮＤＤ法が例えば非特許文献１乃至５に開示されている。非特許文献１においてＮＤＤ法は、Ｘ線診断領域における患者の表面入射線量簡易換算式を用いて患者の表面入射線量を推定するために、例えば入射線量を左右する諸因子（管電圧、管電流と撮影時間との積ｍＡｓ、濾過、焦点と皮膚間距離との差ＦＳＤ、装置）について一定の値で正規化し、係数化して、表面線量推定式を導いた方法であることが開示されている。すなわち、患者に対するＸ線の被曝量を高精度に算出するには、患者に対するＸ線の入射角度やＸ線強度、Ｘ線管と患者との距離などの各情報に基づいて患者の各部位における各Ｘ線量をそれぞれコンピュータにより演算し求め、これらＸ線量を合わせてＸ線照射野全体の線量分布を求める。
【０００３】
しかしながら、高精度にＸ線照射野全体の線量分布を求めるためには、上記の如く患者に対するＸ線の入射角度やＸ線強度、Ｘ線管と患者との距離などの各情報を用いるために、大量の情報を演算処理しなければならない。このため、Ｘ線照射野全体の線量分布の演算が完了するまでに時間を要し、リアルタイムにＸ線照射野全体の線量分布を得ることが困難である。
【非特許文献１】「ＮＤＤ法について」Ｘ線診断領域における患者の表面入射線量簡易換算式（ＮＤＤ法）、（社）茨城県Ｘ線技師会、ホームページアドレスhttp://www.sunshine.ne.jp/~iart/ndd.htm
【非特許文献２】森剛彦、他「Ｘ線診断撮影条件の条件に基づく被曝線量とわが国におけるガイダンスレベルの提案」日本医学Ｘ線学会誌Vo1.60:389-395.2000
【非特許文献３】森剛彦、他「Ｘ線診断領域の表面線量測定と簡易換算法に関する研究」茨城県Ｘ線技師会・日本Ｘ線技術学会茨城支部・被曝低減委員会、1990
【非特許文献４】森剛彦、他「Ｘ線診断領域の線量測定と簡易換算式を導くためのX線装置の基礎的因子の解析に関する研究」基礎データ集、茨城県Ｘ線技師会・日本Ｘ線技術学会茨城支部・被曝低減委員会、1989
【非特許文献５】森剛彦、田村正夫、高橋雪夫、岡本治夫、村田勉「Ｘ線診断領域の表面線量測定と簡易換算法(第１〜４報)」第４０〜４１回日本Ｘ線技術学会総会、1984.1985
【発明の開示】
【発明が解決しようとする課題】
【０００４】
本発明の目的は、リアルタイム性を損なわずに、高精度にＸ線照射野全体の線量分布を求めることができる被曝線量算出方法及びその装置を提供することにある。
【課題を解決するための手段】
【０００５】
本発明の主要な局面に係る被曝線量算出方法は、Ｘ線発生源からＸ線を被検体に照射したときのＸ線条件と、Ｘ線発生源から被検体までの位置情報とに基づいてコンピュータの演算処理により被検体の被曝量を算出する被曝線量算出方法において、Ｘ線の照射野を数段階で順次複数の領域に細分化し、Ｘ線照射野を細分化する前と細分化する毎とでそれぞれＸ線照射野内と複数の領域毎内とにおいて各特定部分の各Ｘ線照射線量を求め、このＸ線照射線量を当該各領域全体の各Ｘ線照射線量として求め、細分化する前と細分化する毎とでそれぞれＸ線照射野全体の線量分布を求める。
【０００６】
本発明の他の主要な局面に係る被曝線量算出装置は、Ｘ線発生源からＸ線を被検体に照射したときのＸ線条件と、Ｘ線発生源から被検体までの位置情報とに基づいて被検体の被曝量を算出する被曝線量算出装置において、Ｘ線の照射野を数段階で順次複数の領域に細分化し、Ｘ線照射野を細分化する前と細分化する毎とでそれぞれＸ線照射野内と複数の領域内とにおける各特定部分との各Ｘ線照射線量を求め、このＸ線照射線量を当該各領域全体の各Ｘ線照射線量として求め、細分化する前と細分化する毎とでそれぞれＸ線照射野全体の線量分布を求める線量分布演算部とを具備する。
【発明の効果】
【０００７】
本発明によれば、リアルタイム性を損なわずに、高精度にＸ線照射野全体の線量分布を求めることができる被曝線量算出方法及びその装置を提供できる。
【発明を実施するための最良の形態】
【０００８】
以下、本発明の一実施の形態について図面を参照して説明する。  
図１はＮＤＤ法による被曝線量算出装置を適用したＸ線診断装置のブロック構成図を示す。この装置は、例えば循環器系診断システムとして用いられる。寝台１上には、患者等の被検体２が載置される。Ｃアーム３の各端部には、それぞれＸ線発生部４とＸ線検出部５とが対向して設けられている。  
Ｃアーム３には、機構部６が設けられている。この機構部６は、例えばＣアーム３の回動と、Ｃアーム３の寝台１の長手方向への移動を行う。
【０００９】
Ｘ線発生部４は、Ｘ線を発生するＸ線管等のＸ線発生源を有する。このＸ線発生部４には、高電圧発生部７が接続されている。この高電圧発生部７は、Ｘ線発生部４に対して高電圧を印加する。この高電圧発生部７は、システム制御部８からのＸ線条件指令を受け、当該Ｘ線条件指令により指示されたＸ線強度に対応する高電圧を高電圧発生部５に印加する。これにより、Ｘ線発生部４は、Ｘ線を発生する。
【００１０】
Ｘ線検出部５は、Ｘ線管１５から放射され、被検体２を透過したＸ線量を検出する。このＸ線検出部５は、例えば平面検出器（Flat Panel Detector：ＦＰＤ）又はＩ.Ｉ.（Image Intensifier）を備える。
【００１１】
画像データ生成部９は、Ｘ線検出部５から読み出された各電荷をＸ線検出量に応じたデジタル画像信号に変換して投影データを求め、この投影データから被検体２のＸ線画像データを生成する。画像データ生成部９には、複数のモニタ装置を有する表示部１０が接続されている。この表示部１０は、画像データ生成部９により生成された被検体２の画像データを表示する。
【００１２】
システム制御部８は、Ｘ線診断装置全体を制御するもので、機構部６に対して移動指令を発し、高電圧発生部７に対してＸ線強度等を制御するための電圧、電流、Ｘ線の放射時間等からなるＸ線条件指令を発すると共に、Ｘ線発生部４に対してＸ線照射指令を発し、Ｘ線検出部５に駆動指令を発し、画像データ生成部９に対して各種演算指令を発し、表示部１０に対して表示指令を発する。
システム制御部８には、操作部１１が接続されている。この操作部１１は、例えばマウス、ジョイステック又はドラックボール等であり、これらマウス等の操作に応じた操作信号を出力する。  
システム制御部８は、ＣＰＵ、ＲＡＭ、ＲＯＭ、入出力ポート等を有するコンピュータから成り、ＮＤＤ法によってＸ線を被検体に照射したときの被検体の被曝量を算出するもので、Ｘ線条件設定部１２と線量分布演算部１３とを有する。  
Ｘ線条件設定部１２は、例えば、Ｘ線発生部４からＸ線を被検体２に照射したときのＸ線条件と、Ｘ線発生部４から被検体２までの位置情報と、被検体２に照射するＸ線の照射角度とを設定する。Ｘ線条件は、例えばＸ線発生部４に供給する高電圧、電流、Ｘ線の放射時間等である。
【００１３】
線量分布演算部１３は、例えばＸ線条件設定部１２に設定されたＸ線条件と、位置情報と、Ｘ線の照射角度とに基づいて演算処理を行って被検体２の被曝量を算出する。  
具体的に、線量分布演算部１３は、Ｘ線発生部４から放出されるＸ線の照射野を数段階で順次複数の領域に細分化し、このＸ線照射野を細分化する前と細分化する毎とでそれぞれＸ線照射野内と複数の領域毎内とにおいて各特定部分の各Ｘ線照射線量を求め、このＸ線照射線量を当該各領域全体の各Ｘ線照射線量として求め、細分化する前と細分化する毎とでそれぞれＸ線照射野全体の線量分布を求める。
【００１４】
さらに詳細に、線量分布演算部１３は、Ｘ線照射野を細分化する前に、Ｘ線照射野内における特定部分のＸ線照射線量を求め、このＸ線照射線量がＸ線照射野全体に均一に照射されたとしてＸ線照射野全体の線量分布を求める。  
線量分布演算部１３は、Ｘ線照射野を細分化する毎に、複数の領域毎に求められる各Ｘ線照射線量から細分化の段階に応じたＸ線照射野全体の線量分布を求める。  
線量分布演算部１３は、Ｘ線照射野内における特定部分をＸ線照射野の中心部分としてＸ線照射野全体の線量分布を求める。  
線量分布演算部１３は、複数の領域内における各特定部分を当該複数の領域の各中心部分として当該各領域全体の各線量分布を求める。  
線量分布演算部１３は、Ｘ線発生部４のＸ線条件とＸ線条件設定部１２により設定される被検体２に対するＸ線の照射位置情報とに基づいてＸ線の線量分布を求める。
【００１５】
次に、上記の如く構成された装置におけるＮＤＤ法による被曝線量算出について説明する。  
循環器系診断システムでは、例えば被検体２の心臓、冠動脈の造影を行う。この造影の前に被検体２に対する被曝線量を事前に算出する。図２は被検体２のモデルＭに対するＸ線照射野Ｆの一例を示す。
Ｘ線条件設定部１２は、例えば、Ｘ線発生部４からＸ線を被検体２に照射したときのＸ線条件、例えばＸ線発生部４に供給する高電圧、電流、Ｘ線の放射時間等を設定する。これと共にＸ線条件設定部１２は、例えばＸ線発生部４から被検体２までの位置情報と、被検体２に照射するＸ線の照射角度とを設定する。
【００１６】
線量分布演算部１３は、例えばＸ線条件設定部１２に設定されたＸ線条件と、位置情報と、Ｘ線の照射角度とに基づいてＮＤＤ法による演算処理を行って被検体２の被曝量を算出する。すなわち、線量分布演算部１３は、第１段階（１st）としてＸ線照射野内における特定部分、例えば図３に示すようにＸ線照射野の中心部分ＣのＸ線照射線量を求め、このＸ線照射線量がＸ線照射野Ｆの全体に均一に照射されたとしてＸ線照射野Ｆ全体の線量分布Ｄ１を求める。このとき線量分布演算部１３は、ＮＤＤ法を用いてＸ線照射野全体の線量分布Ｄ１を求める。
【００１７】
この線量分布演算部１３は、求めたＸ線照射野Ｆ全体の線量分布Ｄ１を表示部１０に送る。この表示部１０は、Ｘ線照射野Ｆ全体の線量分布Ｄ１を受け取り、Ｘ線照射野Ｆ全体の線量分布Ｄ１を表示する。これにより、Ｘ線照射野Ｆ内における代表的なＸ線照射線量、すなわち被検体２に対する代表的な被曝量が分かる。
次に、線量分布演算部１３は、第２段階（２st）としてＸ線照射野Ｆ内を複数の領域、例えばＸＹ方向に均等に９つの各領域ｅ１〜ｅ９に分割する。線量分布演算部１３は、中央の領域ｅ１のＸ線照射線量を第１段階（１st）で求めた線量分布Ｄ１とする。これと共に線量分布演算部１３は、中央の領域ｅ１の周囲に隣接する各領域ｅ２〜ｅ９毎に、当該各領域ｅ２〜ｅ９内における各特定部分、例えば各領域ｅ２〜ｅ９の中心部分Ｃ２〜Ｃ９の各Ｘ線照射線量を求め、これらＸ線照射線量が各領域ｅ２〜ｅ９の全体に均一に照射されたとして各領域ｅ２〜ｅ９の各線量分布を求める。なお、図３は各領域ｅ２〜ｅ９の中心部分Ｃ２〜Ｃ９
を図示すると煩雑化するために領域ｅ２の中心部分Ｃ２のみを示す。
しかるに、線量分布演算部１３は、中央の領域ｅ１の線量分布Ｄ１と、各領域ｅ２〜ｅ９の各線量分布とを合わせてＸ線照射野Ｆ全体の線量分布Ｄ２を求める。この線量分布演算部１３は、上記同様に、Ｘ線照射野Ｆ全体の線量分布Ｄ２を表示部１０に送る。これにより、表示部１０には、例えば９つの各領域ｅ１〜ｅ９に細分化した場合のＸ線照射野Ｆ全体の線量分布Ｄ２が表示される。これにより、例えば９つの各領域ｅ１〜ｅ９に細分化したときの各領域ｅ１〜ｅ９における代表的な各Ｘ線照射線量、すなわち被検体２に対する代表的な各被曝量が分かる。
次に、線量分布演算部１３は、第３段階（３st）としてＸ線照射野Ｆ内を、さらに複数の領域、例えば第２段階（２st）で分割した各領域ｅ１〜ｅ９をさらにＸＹ方向に均等に９つの各領域にそれぞれ分割し、Ｘ線照射野Ｆの全体を例えば８１個の各領域ｆ１〜ｆ８１に細分化する。
【００１８】
線量分布演算部１３は、第２段階（２st）で分割した例えば中央の領域ｅ１に対応する９つの各領域ｆ３１、ｆ３２、…、ｆ５１における中央の領域ｆ４１のＸ線照射線量をＣとする。このＸ線照射線量Ｃは、第１段階（１st）で求めたＸ線照射線量Ｃと同一である。これと共に線量分布演算部１３は、中央の領域ｆ４１の周囲に隣接する各領域ｆ３１、ｆ３２、…、ｆ５１毎に、当該各領域ｆ３１、ｆ３２、…、ｆ５１内における各特定部分、例えば各領域ｆ３１、ｆ３２、…、ｆ５１の中心部分の各Ｘ線照射線量を求め、これらＸ線照射線量が各領域ｆ３１、ｆ３２、…、ｆ５１の全体に均一に照射されたとして各領域ｆ３１、ｆ３２、…、ｆ５１の各線量分布を求める。
【００１９】
以下、同様に、線量分布演算部１３は、第２段階（２st）で分割した各領域ｅ２〜ｅ９に対応する各領域ｆ１、ｆ２、…、ｆ８１毎にその中心部分の各Ｘ線照射線量を求め、これらＸ線照射線量が各領域ｆ１、ｆ２、…、ｆ８１の全体に均一に照射されたとして各領域ｆ１、ｆ２、…、ｆ８１の各線量分布を求める。  
しかるに、線量分布演算部１３は、細分化した各領域ｆ１、ｆ２、…、ｆ８１を合わせてＸ線照射野Ｆ全体の線量分布Ｄ３を求める。この線量分布演算部１３は、上記同様に、Ｘ線照射野Ｆ全体の線量分布Ｄ３を表示部１０に送る。これにより、表示部１０には、例えば８１個の各領域ｆ１、ｆ２、…、ｆ８１に細分化した場合のＸ線照射野Ｆ全体の線量分布Ｄ３が表示される。これにより、例えば８１個の各領域ｆ１、ｆ２、…、ｆ８１に細分化したときの各領域ｆ１、ｆ２、…、ｆ８１における代表的な各Ｘ線照射線量、すなわち被検体２に対する代表的な各被曝量が分かる。
これ以降、線量分布演算部１３は、Ｘ線照射野Ｆ内をさらに複数の領域に細分化し、これら細分化した各領域ごとに各Ｘ線照射線量を求め、これらＸ線照射線量を合わせてＸ線照射野Ｆ全体の線量分布を求める。このＸ線照射野Ｆ全体の線量分布は、表示部１０に表示される。
【００２０】
循環器系診断システムでは、被検体２の診断を行うために例えば被検体２の心臓、冠動脈の造影を行う場合、被検体２に対するＸ線の照射角度や被検体２とＸ線管１５との距離、被検体２の位置すなわち寝台３の位置などを種々変更する。従って、ＮＤＤ法により被検体２の被曝量を算出する場合もＸ線条件と、位置情報と、Ｘ線の照射角度とをそれぞれ変更設定して被検体２の被曝量を算出する。
【００２１】
すなわち、Ｘ線条件設定部１２は、例えば、Ｘ線発生部４からＸ線を被検体２に照射したときのＸ線条件、例えばＸ線発生部４に供給する高電圧、電流、Ｘ線の放射時間等を変更設定する。これと共にＸ線条件設定部１２は、例えばＸ線発生部４から被検体２までの位置情報と、被検体２に照射するＸ線の照射角度とを変更設定する。
【００２２】
線量分布演算部１３は、例えばＸ線条件設定部１２に変更設定されたＸ線条件と位置情報とＸ線の照射角度とに基づいて上記同様にＮＤＤ法による演算処理を行って被検体２の被曝量、例えばＸ線照射野Ｈ全体の線量分布を求める。
このように上記一実施の形態によれば、Ｘ線照射野Ｆ内を第１段階（１st）、第２段階（２st）、…、のように順次複数の領域に細分化し、これら細分化した各領域ごとに各Ｘ線照射線量を求め、これらＸ線照射線量を合わせてＸ線照射野Ｆ全体の線量分布を求めて各モニタ装置２６に表示する。これにより、例えば第１段階（１st）で表示されるＸ線照射野Ｆ全体の線量分布Ｄ１から被検体２の被曝線量の分布を状態の概略を把握することができ、第２段階（２st）で表示されるＸ線照射野Ｆ全体の線量分布Ｄ２からある程度の線量分布の傾向を把握することができる。従って、Ｘ線照射野Ｆ全体の高精度な線量分布を求める演算処理の完了を待たずに、時間の経過と共にＸ線照射野Ｆ内を細分化する段階数が増加すると、被検体２の被曝線量の分布の詳細を高精度に把握できる。
【００２３】
一方、各段階毎に、Ｘ線照射野Ｆ又は細分化した各領域内における特定部分、例えばＸ線照射野や各領域の各中心部分のＸ線照射線量を求め、このＸ線照射線量がＸ線照射野Ｆや各領域の全体に均一に照射されたとしてＸ線照射線量を求めるので、各段階において少ないデータ処理量でＸ線照射野Ｆ全体の線量分布、すなわち被検体２の被曝線量の分布を求めることができる。
【００２４】
従って、リアルタイム性を損なわずに、高精度にＸ線照射野全体の線量分布を求めることが可能である。この被検体２の被曝線量の分布は、従来において算出していた精度と同等の精度で被検体２の被曝線量の分布を求める細分化の段階数に到達しなくても、短時間で被検体２の被曝線量の分布を把握できる。
【００２５】
なお、本発明は、上記一実施の形態に限定されるものではなく、次のように変形してもよい。  
例えば、Ｘ線照射野Ｆ又は細分化した各領域内における特定部分は、例えばＸ線照射野や各領域の各中心部分としているが、これに限らず、Ｘ線照射野Ｆ又は細分化した各領域内において最も多いＸ線照射線量を有する部分を判断し、この部分のＸ線照射線量がＸ線照射野Ｆ又は各領域の全体に均一に照射されたとしてＸ線照射野Ｆ全体又は各領域の線量分布を求めてもよい。Ｘ線照射野Ｆ内における特定部分は、被検体２における特定の関心領域（Region Of Interest：ＲＯＩ）としてもよい。
【００２６】
本発明の被曝線量算出装置は、循環器系診断システムに用いたＸ線診断装置に適用した場合について説明したが、これに限らず、頭・腹部血管撮影システム、頭部診断用システム、呼吸器系診断用システム等の被検体２の被曝線量の分布を把握するに必要な各種システムに適用可能である。  
Ｘ線照射野Ｆ内を複数の領域に細分化するときの各領域のサイズや細分化数は、任意に設定可能である。
【図面の簡単な説明】
【００２７】
【図１】本発明に係る被曝線量算出装置を適用したＸ線診断装置の第１の実施の形態を示すブロック構成図。
【図２】被検体のモデルに対するＸ線照射野の一例を示す図。
【図３】Ｘ線照射野を細分化する毎に求められるＸ線照射野全体の線量分布を示す模式図。
【符号の説明】
【００２８】
１：寝台、２：被検体、３：Ｃアーム、４：Ｘ線発生部、５：Ｘ線検出部、６：機構部、７：高電圧発生部、８：システム制御部、９：画像データ生成部、１０：表示部、１１：操作部、１２：Ｘ線条件設定部、１３：線量分布演算部。
【図１】
2008132147.tif 000003
【図２】
2008132147.tif 000004
【図３】
2008132147.tif 000005